(57)【特許請求の範囲】
【請求項１】
化粧材と木質系基材から構成され、前側に湾曲部を有する天板の裏面に、前記湾曲部に沿って溝が切削され、前記溝に、ポストフォーム用メラミン化粧板と発泡倍率が１０〜３０倍で、厚みが４ｍｍを超え２５ｍｍ未満のポリスチレンフォームとが接着された幕板の端部が挿着され、前記幕板が湾曲状に垂下されてなることを特徴とする幕板付き天板。
【発明の詳細な説明】
【０００１】
本発明は幕板付き天板に関する。
【０００２】
【従来の技術】
従来、天板に洗面ボールを取り付けた洗面カウンターの下方には、飛散する水から天板の基材を保護する機能的な目的や、洗面ボールの下部を隠し見栄えをよくするといった意匠的な目的などで幕板を取り付けることが多く、近年はバリアフリー対応のため、車椅子に乗った状態でも支障なく洗面できるように、洗面ボールを前端が突き出た湾曲天板に取り付け、幕板も天板の湾曲部に沿うように曲面状に曲げて取り付ける試みがなされている。
【０００３】
【発明が解決しようとする課題】
しかしながら、従来の幕板は一般に合板に化粧材を接着したものが使用されているため、合板の高い剛性がゆえ円弧状に湾曲させようとしても容易には曲がらなかった。
【０００４】
【課題を解決するための手段】
本発明はかかる状況に鑑み検討されたもので以下のことを特徴とするものである。すなわち、化粧材と木質系基材から構成され、前側に湾曲部を有する天板の裏面に、前記湾曲部に沿って溝が切削され、前記溝に、ポストフォーム用メラミン化粧板と発泡倍率が１０〜３０倍で、厚みが４ｍｍを超え２５ｍｍ未満のポリスチレンフォームとが接着された幕板の端部が挿着され、前記幕板が湾曲状に垂下されてなることを特徴とする幕板付き天板である。以下、本発明を図面に基づいて詳細に説明する。
【０００５】
図１は本発明の実施例の幕板２０の構成断面図を示し、弾力性に富む合成樹脂発泡体１と化粧板４とが公知の接着剤、例えば水性ビニールウレタン系の接着剤、ウレタン系の接着剤、酢酸ビニール系の接着剤、ユリア系の接着剤、エポキシ系の接着剤、合成ゴム系の接着剤を用いて接着されている。
【０００６】
合成樹脂発泡体１としては、ポリウレタンフォーム、ポリイソシアヌレートフォーム、フェノールフォーム、塩化ビニルフォーム、ポリエチレンフォーム、ポリスチレンフォーム、ポリプロピレンフォーム、ユリアフォームなどが例示され、圧縮強度、弾力性を考慮して適宜選択される。
合成樹脂発泡体１の厚みは５〜２０ｍｍ程度とするのが好ましく、厚みが下限に満たないと破損しやすくなり、また、上限を超えると曲がりにくくなる。
【０００７】
前記の合成樹脂発泡体１の中でもとりわけ、発泡倍率が５〜２５倍のウレタンフォーム、発泡倍率が１０〜３０倍のポリスチレンフォーム、発泡倍率が５〜３０倍のポリプロピレンフォームなどが圧縮強度に優れ、弾力性を有して湾曲させやすいため好ましい。いずれも発泡倍率が下限に満たないと、弾力性に乏しくなり曲げにくく、上限を超えると圧縮強度が弱くなり好ましくない。
【０００８】
合成樹脂発泡体１に接着されている化粧板４は、不飽和ポリエステル樹脂を用いてフィルム成形して得られるポリエステル樹脂化粧板、塩化ビニ−ル樹脂シ−トを用いた塩化ビニ−ル樹脂化粧板、木質薄板を用いた天然木化粧板、メラミン樹脂やジアリルフタレ−ト樹脂などの熱硬化性樹脂を用いたメラミン樹脂化粧板、ジアリルフタレ−ト樹脂化粧板などが適用できるが、望ましくは、耐汚染性、耐摩耗性、耐衝撃性、耐水性、強度に優れ、傷がつきにくいメラミン樹脂化粧板が望ましく、とりわけ可撓性を有する所謂ポストフォーム用メラミン樹脂化粧板と称せられるものが好ましい。
【０００９】
図２は湾曲した洗面カウンターの天板７の裏面に幕板２０を取り付けた透視平面図を示し、図３は図２中のＡ−Ａ線に沿う部分拡大断面図である。
【００１０】
天板７として化粧材５と木質系基材６とを接着加工したものが用いられている。化粧材５としては、前述の化粧板４に例示したものの他、メタクリル樹脂、不飽和ポリエステル樹脂などの樹脂を注型成形した注型品等が用いられる。とりわけ、耐汚染性、耐摩耗性に優れ、傷がつきにくい注型品や、メラミン樹脂化粧板やジアリルフタレ−ト樹脂化粧板などの熱硬化性樹脂化粧板が好ましい。
【００１１】
木質系基材６としては、溝の形成が容易なもの、例えば合板、パ−ティクルボ−ド、ＭＤＦ（中密度繊維板）、集成材、あるいは、これらを複合化したものなどが適用でき、いずれも公知のもので差し支えない。図２では基材として木質系基材６を用いているが、幕板２０を挿着できる溝が切削できるものであれば木質系基材に特に限定されることはなく、プラスチック積層板、プラスチック注型品などでも一向に支障はない。化粧材５との接着は、前述の公知の接着剤を用いればよい。
【００１２】
尚、図示はしないが、天板は、化粧材の接着加工を必要とせず基材自体が天板となりうるもの、例えば、人工大理石の如きプラスチック注型品や集成材などでも構わない。
【００１３】
幕板２０付き天板２１は、天板７の裏面側に幕板２０の厚みより幾分大きめの幅の溝８を天板の湾曲部に沿ってＮＣ加工機で切削し、溝８に接着剤を塗布し、幕板２０の長手方向の側端部を挿入することにより得られる。
【００１４】
以下、実施例にて詳細に説明する。
【実施例１】
幕板
厚みが１５ｍｍで発泡倍率が１５のポリスチレンフォームと厚み０．８ｍｍのポストフォーム用メラミン化粧板をゴム系の接着剤を用いて接着し、本発明の幕板を得た。
幕板付き天板
厚み１．０ｍｍのメラミン樹脂化粧板が厚み１８ｍｍの合板に合成ゴム系の接着剤で接着され、前端部が突き出た湾曲天板にアクリル製の洗面ボールが取り付けられた洗面カウンターの天板裏面に、天板の湾曲部に沿って幅１８ｍｍ、深さ１０ｍｍの溝をＮＣ加工機で切削した。
次いで、この溝に酢酸ビニル接着剤を塗布し、幕板の端部を挿入して幕板付き天板を得た。
【００１５】
比較例１
実施例１において、発泡倍率が１５のポリスチレンフォームの代りに厚みが１５ｍｍの合板を用いた以外は同様に実施し天板に取り付けようとしたが、幕板が曲がらなかった。
【００１６】
比較例２
実施例１において、発泡倍率が１５のポリスチレンフォームの厚みを４ｍｍにした以外同様に実施したが、天板に取り付ける際、強度が弱く幕板が破損した。
【００１７】
比較例３
実施例１において、発泡倍率が１５のポリスチレンフォームの厚みを２５ｍｍにした以外同様に実施したが、天板に取り付ける際、強度が強く幕板が曲がらなかった。
【００１８】
【発明の効果】
本発明の幕板は、基板として弾力性に富み圧縮強度に優れる合成樹脂発泡体が用いられ、表面に化粧板が接着されているため、可撓性、強度があり、湾曲した洗面カウンターの下方に曲面状に取り付けることができる。
【００１９】
更に、実施例においては、幕板は湾曲した洗面カウンターに取り付けられているが、洗面カウンターに限ることなく曲面状の幕板を必要とするもの、例えば、カウンター、テーブルなどで変形、湾曲したものにも適用できる。もちろん曲面状に取り付ける必要がなく平面状に取り付ける場合にも使用できる。
【図面の簡単な説明】
【図１】  本発明の幕板の構成断面図。
【図２】  本発明の幕板付き天板の透視平面図。
【図３】  図２中のＡ−Ａ線に沿う断面図。
【符号の説明】
１  合成樹脂発泡体
４  化粧板
５  化粧材
６  木質系基材
７  天板
８  溝
１０  洗面ボール
２０  幕板
２１  幕板付き天板
【図１】
0004812200.tif 000002
【図２】
0004812200.tif 000003
【図３】
0004812200.tif 000004